(57)【要約】【課題】取付の手間を軽減させる。【解決手段】流し台１シンク２の底面部２ａの下面側に、供給口部６から入り込んだ生ゴミを動力により回転される破砕歯により破砕して排出口部８から流出させるものとした生ゴミ破砕処理要部４を支持させた構造のディスポーザ３において、前記底面部２ａに取付台５を固定して、該取付台に前記生ゴミ破砕処理要部４を支持させた構成となす。【選択図】        図１
2004249211.tif 000002
【特許請求の範囲】
【請求項１】
流し台シンクの底面部の下面側に、供給口部から入り込んだ生ゴミを動力により回転される破砕歯により破砕して排出口部から流出させる生ゴミ破砕処理要部を支持させた構造のディスポーザにおいて、前記底面部に取付台を固定して、該取付台に前記生ゴミ破砕処理要部を支持させたことを特徴とするディスポーザ。
【請求項２】
流し台シンクの底面部の下面側に、供給口部から入り込んだ生ゴミを動力により回転される破砕歯により破砕して排出口部から流出させる生ゴミ破砕処理要部を支持させた構造のディスポーザにおいて、前記底面部の下面から排水口部材を下方へ突出させると共に、前記底面部の下面側に前記排水口部材及び、該排水口部材に螺合されるナットを介して取付台を固定し、該取付台に前記生ゴミ破砕処理要部を支持させたことを特徴とするディスポーザ。
【請求項３】
前記取付台が前記生ゴミ破砕処理要部の略全体を包囲する囲壁を有すると共に、該囲壁に前記生ゴミ破砕処理要部の脱着を可能となす開閉口を形成するほか、該囲壁の内面に吸音材を被着したことを特徴とする請求項１又は２記載のディスポーザ。
【発明の詳細な説明】
【０００１】
【発明の属する技術分野】
本発明は、台所で発生する生ゴミを破砕して排水管へ流出させるディスポーザに関する。
【０００２】
【従来の技術】
図４に示すように、台所流し台１のシンク２の底面部２ａの下面に排水孔部１３ｄを有すると共に前記底面部２ａの下側に、該排水孔部１３ｄに連通されている供給口部６から入り込んだ生ゴミを動力により回転される破砕歯により破砕して排出口部８から流出させるものとした生ゴミ破砕処理要部４を支持させた構成のディスポーザ３は存在している（例えば、特許文献１など参照）。
【０００３】
前記排水孔部１３ｄと前記供給口部６とは縦向きのゴムジョイント１５で連通させるのであって、即ち、ゴムジョイント１５の上端は前記排水孔部１３ｄに外嵌させ、下端は前記供給口部６に外嵌させている（例えば、特許文献２など参照）。この際、前記排水孔部１３ｄ及び前記供給口部６と、該ゴムジョイント１５との嵌り部は前記生ゴミ破砕処理要部４の重量で抜け落ちないように適当な嵌合固さを有する嵌り寸法となされている。
【０００４】
【特許文献１】
特開２０００−２９１０９６号公報
【特許文献２】
特開２００１−１４９８０８号公報
【０００５】
【発明が解決しようとする課題】
上記した在来のディスポーザ３においては、前記排水孔部１３ｄ及び前記供給口部６と、前記ゴムジョイント１５との嵌り寸法が上記したように適当な嵌合固さを有するものとなされているため、人力を直接に前記供給口部６や前記ゴムジョイント１５などに付与するのみでは、前記排水孔部１３ｄ及び前記供給口部６と、前記ゴムジョイント１５とを嵌合させることは殆ど不可能である。この場合に、前記ゴムジョイント１５の内周面に潤滑剤を塗布すると、それらを容易に嵌合させることができるものの、今度はその嵌合が分離し易くなって前記生ゴミ破砕処理要部４の重量を支えきれなくなるという問題が生じるのである。
【０００６】
そこで、それらの実際の嵌合においては、自動車などのジャッキを流し台１の床面１ａ上である前記排水孔部材１３ｄの真下個所に位置させ、該ジャッキにより前記生ゴミ破砕処理要部４の底面を押し上げ、強引に前記ゴムジョイント１５内に嵌め込むように行っている。しかし、この場合には、ジャッキによる作業が手間取るものとなるほか、ジャッキによる大きな押上げ力でシンク２を損傷させないように気を配る必要があって慎重な作業を強いられるのである。
本発明は主にこのような問題点に対処し得るものとしたディスポーザを提供することを目的とする。
【０００７】
【課題を解決するための手段】
上記目的を達成するため、本発明に係るディスポーザは、請求項１に記載したように、流し台シンクの底面部の下面側に、供給口部から入り込んだ生ゴミを動力により回転される破砕歯により破砕して排出口部から流出させる生ゴミ破砕処理要部を支持させた構造のディスポーザにおいて、前記底面部に取付台を固定して、該取付台に前記生ゴミ破砕処理要部を支持させたものである。
【０００８】
これによれば、前記生ゴミ破砕処理要部が取り付けられた後にはその重量は取付台にその全て或いは殆どを支持されるようになるため、前記排水口部材や前記供給口部と、前記ゴムジョイントとの嵌り部に前記生ゴミ破砕処理要部の重量がそのまま作用することのない状態となる。このことが前記排水口部材及び前記供給口部と、前記ゴムジョイントとの嵌り固さの低減化を可能となすのであり、これにより前記排水口部材と前記供給口部とは前記ゴムジョイントを介して容易に連通されるようになる。
【０００９】
また請求項２記載した発明は、流し台シンクの底面部の下面側に、供給口部から入り込んだ生ゴミを動力により回転される破砕歯により破砕して排出口部から流出させる生ゴミ破砕処理要部を支持させた構造のディスポーザにおいて、前記底面部の下面から排水口部材を下方へ突出させると共に、前記底面部の下面側に前記排水口部材及び、該排水口部材に螺合されるナットを介して取付台を固定し、該取付台に前記生ゴミ破砕処理要部を支持させたものである。
【００１０】
これによれば請求項１記載の発明と同様の作用が得られる上に次のような作用が得られるのであって、即ち、前記取付台が前記排水口部材及び前記ナットを介して前記底面部の下面個所に固定されるため、生ゴミ通路として本来的に必要である前記排水口部材が前記取付台の固定に寄与するものとなる。
【００１１】
上記した各発明は次のように具体化するのであって、即ち、請求項３に記載したように、前記取付台が前記生ゴミ破砕処理要部の略全体を包囲する囲壁を有すると共に、該囲壁に前記生ゴミ破砕処理要部の脱着を可能となす開閉口を形成するほか、該囲壁の内面に吸音材を被着した構成となすのである。
これによれば、前記囲壁は前記生ゴミ破砕処理要部の破砕処理時に発生する騒音が取付台の外方へ漏れ出るのを阻止すると共に、前記吸音材が前記騒音を吸収して前記囲壁の共振などを抑制するものとなる。また前記開閉口は前記生ゴミ破砕処理要部の装着や保守管理を容易となす。
【００１２】
【発明の実施の形態】
図１は本発明に係るディスポーザなどを示す側面視断面図、図２は前記ディスポーザの生ゴミ破砕処理要部の組立図、そして図３は前記ディスポーザの取付台を示す図である。
これらの図において、１は台所の流し台で、２は流し台１の上面に形成されたシンクである。そして、シンク２の底面部２ａの下側にはディスポーザ３が形成されている。
【００１３】
ディスポーザ３は生ゴミ破砕処理要部４とこれを支持するものとした取付台５とを備えている。そして、生ゴミ破砕処理要部４はディスポーザ本体部をなすもので、供給口部６、破砕処理部７、排出口部８及び電動モータ９を備え、水などと一緒に供給口部６から入り込んだ生ゴミを電動モータ９の動力により破砕処理部７内で回転される図示しない破砕歯により破砕して排出口部８から流出させる構成としている。この際、電動モータ９の下面中央個所には断面円形で下向きとなされた突起１０が形成されている。
【００１４】
一方、取付台５は前面を開閉口となされた合成樹脂製の方形箱体となされたもので、具体的には図３に示すように、上下面５ａ、５ｂ、左右側面５ｃ、５ｄ及び後面５ｅを囲壁で形成された台部５Ａと、該台部５Ａの前面を脱着可能且つ密状に覆うものとした平面視横向きＵ字状で正面視方形状の前面パネル５Ｂとからなっている。そして、前記上面５ａをなす囲壁の略中央位置には円形の固定用透孔ａが形成され、下面５ｂをなす囲壁の内面には電動モータ９の下面を支持するものとなる防振ゴム板１１が被着され、下面５ａをなす囲壁及び防振ゴム板１１の略中央位置には前記突起１０を嵌入される位置決め用透孔ｂが形成され、後面５ｅ及び左右側面５ｃ、５ｄをなす囲壁の内面には吸音材１２を被着されている。また前面パネル５Ｂは台部５Ａの囲壁と同等の板材で形成されると共に内面に吸音材１２を被着されるほか、正面視右側部分に排出口部８を挿通させるための切欠部ｃが形成されている。
【００１５】
１３は排水口部材であって円筒部１３ａの上縁に鍔部１３ｂを形成されると共に円筒部１３ａの外周面に図２に示す雄ネジ１３ｃを形成されるほか該雄ネジ１３ｃに螺合されるロックナット１４を付属させたものとなされている。そして、１５は円筒部１３ａの下端部と供給口部６の上端部とを連通させるためのゴムジョイントであり、１６はネジ部材１７の回転操作により緊張弛緩される締結バンドである。
【００１６】
次に生ゴミ破砕処理要部４をシンク２の底面部２ａ下面に固定させるときの手順の一例を説明する。
先ず、底面部２ａに形成された排水用の透孔ｅにパッキンｄを介在させて排水口部材１３の円筒部１３ａを上側から挿入し、次に取付台５の台部５Ａ上面の透孔ａをシンク２の下側から円筒部１３ａに外挿し、その後、ロックナット１４を雄ネジ部１３ｃに螺合し締結して台部５Ａをシンク２の底面部２ａに固定させる。
【００１７】
一方では、生ゴミ破砕処理要部４の供給口部６の上端部にゴムジョイント１５を外挿すると共にゴムジョイント１５の外周囲に締結バンド１６を締結状に装着して供給口部６とゴムジョイント１５を液密状に結合させる。この際、供給口部６とゴムジョイント１５の結合は生ゴミ破砕処理要部４の重量を支持させるものではないため、供給口部６とゴムジョイント１５の嵌め合いは比較的緩くなされ且つゴムジョイント１５自体の強度も比較的小さいものとなされているのであり、従って供給口部６へのゴムジョイント１５の外挿処理は比較的容易に行われる。
【００１８】
次に生ゴミ破砕処理要部４を台部５Ａの前面開口近傍に移動させ、ここでゴムジョイント１５の上部が円筒部１３ａの下部へ向かうように該生ゴミ破砕処理要部４を傾斜させ、次いで円筒部１３ａにゴムジョイント１５の上部を外挿させつつ該生ゴミ破砕処理要部４を台部５Ａの前面開口を通じて台部５Ａ内方に移動させ下面５ｂの防振ゴム板１１上に図１に示すように位置させる。この後、ゴムジョイント１５の上部外周囲に締結バンド１６を締結状に装着して円筒部１３ａとゴムジョイント１５を液密状に結合させる。
【００１９】
この際、円筒部１３ａとゴムジョイント１５の結合は既述したように生ゴミ破砕処理要部４の重量を支持させるものではないため、円筒部１３ａとゴムジョイント１５の嵌め合いは比較的緩くなされているのであり、従って円筒部１３ａへのゴムジョイント１５の外挿処理は比較的容易に行われる。
次に前面パネル５Ａを台部５Ｂの前面開口に固定状に装着する。この際、切欠部ｃ内に排出口部８を位置させるのであり、切欠ｃと管路１７の隙間は吸音材などで閉鎖するのがよい。この後、排出口部８から管路１７を延長させて台所の下水用排水管１８（図４参照）と連通させる。
【００２０】
上記のように形成したディスポーザにおいて生ゴミは例えば次のように処理されるのであって、即ち、台所で発生した生ゴミは排水口部材１３の上端開口からゴムジョイント１５及び供給口部６を通じて破砕処理部７内に落下され、この落下後に使用者により始動された電動モータ９により回転駆動される図示しない破砕歯によって細かく破砕されるのであり、破砕された状態の生ゴミは台所排水と共に排出口部８から管路１７を通じて下水用排水管１８へ流出されるのである。
【００２１】
【発明の効果】
上記した本発明によれば、次のような効果が得られる。
即ち、請求項１記載のものによれば、排水口部材１３及び供給口部６と、ゴムジョイント１５との嵌り部に生ゴミ破砕処理要部４の重量がそのまま作用することのないものとなるため、前記嵌り部の嵌り固さを低減化させることができ、これにより排水口部材１３と供給口部６とを容易に連通させることができ、取付の手間が大幅に軽減されるのである。
【００２２】
請求項２記載したものによれば、請求項１記載の発明と同様の効果が得られる上に次のような効果が得られるのであって、即ち、生ゴミの通路として本来的に必要な排水口部材１３を取付台５の固定部材として使用することができて、生ゴミ破砕処理要部４の取付構造を簡易化させることができる。
【００２３】
請求項３に記載したものによれば、生ゴミ破砕処理要部４の発生する騒音がディスポーザ３の外方へ漏れ出るのを抑制することができると共に、生ゴミ破砕処理要部４の振動に起因した周辺部材の振動や該振動に起因した騒音を抑制することができる。
【図面の簡単な説明】
【図１】本発明に係るディスポーザなどの側面視断面図である。
【図２】前記ディスポーザの生ゴミ破砕処理要部の組立図である。
【図３】前記ディスポーザの取付台を示す図である。
【図４】従来例のディスポーザなどを示す図である。
【符号の説明】
１  流し台
２  シンク
２ａ  底面部
３  ディスポーザ。
４  生ゴミ破砕処理要部
５  取付台
６  供給口部
７  破砕処理部
８  排出口部
１２  吸音材
１３  排水口部材
１４  ナット
【図１】
2004249211.tif 000003
【図２】
2004249211.tif 000004
【図３】
2004249211.tif 000005
【図４】
2004249211.tif 000006